(57)【要約】【課題】ドリンクホルダに収納される飲料を、任意に、冷却、加熱、保温することのできるドリンクホルダ装置を得る。【解決手段】ドリンクホルダ装置は、運転室に少なくとも冷風を送風可能な空調ユニットからの冷風の一部を、運転室内に設けられたドリンクホルダ４２に導いて、このドリンクホルダに保持された飲料を少なくとも冷却可能に構成されている。また、前記ドリンクホルダに空調ユニットからの冷風を供給するためのドリンクホルダ用ダクト３９と、このドリンクホルダ用ダクトから供給される冷風の一部を分岐して加熱する加熱装置４９と、この加熱装置で加熱された温風と、前記ドリンクホルダ用ダクトから直接供給される冷風との供給割合を調整して温度調整するための混合部５０とを備え、この混合部で温度調整された空気が前記ドリンクホルダに供給されるように構成されている。【選択図】図５
2014113940.tif 000002
【特許請求の範囲】
【請求項１】
運転室に少なくとも冷風を送風可能な空調ユニットからの冷風の一部を、前記運転室内に設けられたドリンクホルダに導いて、このドリンクホルダに保持された飲料を少なくとも冷却可能に構成されているドリンクホルダ装置であって、
前記ドリンクホルダに前記空調ユニットからの冷風を供給するためのドリンクホルダ用ダクトと、
このドリンクホルダ用ダクトから供給される冷風の一部を分岐して加熱する加熱装置と、
この加熱装置で加熱された温風と、前記ドリンクホルダ用ダクトから直接供給される冷風との供給割合を調整して温度調整するための混合部とを備え、
この混合部で温度調整された空気が前記ドリンクホルダに供給されるように構成されている
ことを特徴とするドリンクホルダ装置。
【請求項２】
請求項１に記載のドリンクホルダ装置であって、
前記ドリンクホルダの下部に設けられ、前記ドリンクホルダ用ダクトから供給される冷風の一部を導入すると共に、この導入された冷風を加熱する加熱装置を備える第１の空洞部と、
前記ドリンクホルダの下部に設けられ、前記ドリンクホルダ用ダクトから供給される冷風を直接導入する第２の空洞部とを備え、
前記混合部は、前記第１空洞部からの温風と、第２の空洞部からの冷風を導いて混合する混合空間を有することを特徴とするドリンクホルダ装置。
【請求項３】
請求項２に記載のドリンクホルダ装置であって、
前記第１、第２の空洞部と前記混合空間との間には、前記第１の空洞部から前記混合空間へ供給される温風と、前記第２の空洞部から前記混合空間に供給される冷風の供給割合を調整する供給割合調整部が設けられていることを特徴とするドリンクホルダ装置。
【請求項４】
請求項３に記載のドリンクホルダ装置であって、
前記供給割合調整部は、前記第１の空洞部と前記混合空間を仕切る隔壁に設けられ、周方向に面積がなだらかに変化する第１の孔部と、前記第２の空洞部と前記混合空間を仕切る隔壁に設けられ、周方向に面積がなだらかに変化する第２の孔部と、これら第１、第２の孔部の開口割合を調整して前記混合空間に供給される温風と冷風の供給割合を調整する温調レバーとを備えることを特徴とするドリンクホルダ装置。
【請求項５】
請求項４に記載のドリンクホルダ装置であって、
前記第１、第２の孔部は周方向に面積がなだらかに変化する涙目形状に形成され、
また、前記温調レバーは、円板部とレバー部で構成され、且つ前記円板部には前記涙目形状の孔部に対応する位置に円板孔部が形成され、前記レバー部を回動させることにより前記円板孔部が周方向に回動して前記第１、第２の孔部の開口面積を変化させることができるように構成されていることを特徴とするドリンクホルダ装置。
【発明の詳細な説明】
【技術分野】
【０００１】
本発明は、飲料容器を保温または保冷する機能を備えたドリンクホルダ装置に関し、特に建設機械のドリンクホルダ装置として好適なものである。
【背景技術】
【０００２】
この種従来技術としては、特開２００６−１７６０３８号公報（特許文献１）や特開平８−２８２３５７号公報（特許文献２）に記載されたものなどがある。
上記特許文献１のものでは、空調装置の空調風（冷風または温風）を、ドリンクホルダに導き、飲料を冷却したり保温するようにしている。
また、上記特許文献２のものには、ドリンクホルダにヒータ部を設けて飲料を加熱、保温することが記載されている。
【先行技術文献】
【特許文献】
【０００３】
【特許文献１】特開２００６−１７６０３８号公報
【特許文献２】特開平８−２８２３５７号公報
【発明の概要】
【発明が解決しようとする課題】
【０００４】
上記特許文献１のものでは、空調装置の冷風または温風を、ドリンクホルダに導くことで、飲料を冷却したり保温することはできるが、空調装置の冷風または温風の温度に依存しており、ドリンクホルダ単独で任意に冷却したり保温することはできない。
【０００５】
また、上記特許文献２のものでは、ヒータ部を使用してドリンクホルダに収納された飲料を加熱、保温することはできるが、冷却することはできず、冷却、加熱、保温を任意に行うことはできなかった。
【０００６】
本発明の目的は、ドリンクホルダに収納される飲料を、任意に、冷却、加熱、保温することのできるドリンクホルダ装置を得ることにある。
【課題を解決するための手段】
【０００７】
上記目的を達成するため、本発明は、運転室に少なくとも冷風を送風可能な空調ユニットからの冷風の一部を、前記運転室内に設けられたドリンクホルダに導いて、このドリンクホルダに保持された飲料を少なくとも冷却可能に構成されているドリンクホルダ装置であって、前記ドリンクホルダに前記空調ユニットからの冷風を供給するためのドリンクホルダ用ダクトと、このドリンクホルダ用ダクトから供給される冷風の一部を分岐して加熱する加熱装置と、この加熱装置で加熱された温風と、前記ドリンクホルダ用ダクトから直接供給される冷風との供給割合を調整して温度調整するための混合部とを備え、この混合部で温度調整された空気が前記ドリンクホルダに供給されるように構成されていることを特徴とする。
【０００８】
また、前記ドリンクホルダの下部に設けられ、前記ドリンクホルダ用ダクトから供給される冷風の一部を導入すると共に、この導入された冷風を加熱する加熱装置を備える第１の空洞部と、前記ドリンクホルダの下部に設けられ、前記ドリンクホルダ用ダクトから供給される冷風を直接導入する第２の空洞部とを備え、前記混合部は、前記第１空洞部からの温風と、第２の空洞部からの冷風を導いて混合する混合空間を有するように構成すると良い。
【０００９】
また、前記第１、第２の空洞部と前記混合空間との間に、前記第１の空洞部から前記混合空間へ供給される温風と、前記第２の空洞部から前記混合空間に供給される冷風の供給割合を調整する供給割合調整部を設けると良い。
【００１０】
この供給割合調整部は、前記第１の空洞部と前記混合空間を仕切る隔壁に設けられ、周方向に面積がなだらかに変化する第１の孔部と、前記第２の空洞部と前記混合空間を仕切る隔壁に設けられ、周方向に面積がなだらかに変化する第２の孔部と、これら第１、第２の孔部の開口割合を調整して前記混合空間に供給される温風と冷風の供給割合を調整する温調レバーとを備える構成にすることが好ましい。
【００１１】
そして、前記第１、第２の孔部は周方向に面積がなだらかに変化する涙目形状に形成され、また、前記温調レバーは、円板部とレバー部で構成され、且つ前記円板部には前記涙目形状の孔部に対応する位置に円板孔部が形成され、前記レバー部を回動させることにより前記円板孔部が周方向に回動して前記第１、第２の孔部の開口面積を変化させることができるように構成すると良い。
【発明の効果】
【００１２】
本発明によれば、ドリンクホルダに収納された飲料を、任意に、冷却、加熱、保温をすることができるドリンクホルダ装置を得ることができる効果が得られる。
【図面の簡単な説明】
【００１３】
【図１】本発明の実施例１が適用される油圧ショベルの全体構成を示す正面図である。
【図２】図１に示したキャブ内を図１のII−II線方向から見た拡大図である。
【図３】空調ユニットと、この空調ユニットに接続されたドリンクホルダ装置の概略構成を説明する図である。
【図４】図３に示すドリンクホルダ装置の外観斜視図である。
【図５】図４に示すドリンクホルダ装置の内部構造を示す断面図である。
【図６】ドリンクホルダ装置を分解して示す斜視図で、斜め上方からみた斜視図である。
【図７】ドリンクホルダ装置を分解して示す斜視図で、斜め下方からみた斜視図である。
【図８】上ケースに温調レバーを挿入設置した状態を示す図で、温調レバーのレバー部を最も左側に回動させた状態を示す図である。
【図９】上ケースに温調レバーを挿入設置した状態を示す図で、温調レバーのレバー部を、周方向の溝の中央よりもやや右寄りの位置にセットした状態を示す図である。
【発明を実施するための形態】
【００１４】
以下、本発明のドリンクホルダ装置の具体的実施例を、図面を用いて説明する。なお、各図において、同一符号を付した部分は同一或いは相当する部分を示している。
【実施例１】
【００１５】
本実施例は、建設機械としての（油圧ショベル）に本発明のドリンクホルダ装置を適用した場合のものである。  
図１は、本発明の実施例１が適用される油圧ショベルの全体構成を示す正面図で、この油圧ショベル１は、自走可能なクローラ式の下部走行体２と、該下部走行体２上に旋回可能に搭載された上部旋回体３と、該上部旋回体３の前側に俯仰動可能に設けられ、土砂の掘削作業等を行う作業装置４などにより構成されている。
【００１６】
前記上部旋回体３は、例えば鋼板や鋼管等を用いて形成された支持構造体をなす旋回フレーム５、該旋回フレーム５の後部側に左右方向に横置き状態で設置されたエンジン６、該エンジン６の左側に取付けられた油圧ポンプ７、前記エンジン６等を覆う外装カバー８及びキャブ（運転室）９などを備えている。また、前記上部旋回体３には、ラジエータ、オイルクーラ等の熱交換器、作動油タンク、燃料タンク等（何れも図示せず）も設けられている。
【００１７】
図２は図１に示した前記キャブ９内を図１のII−II線方向から見た拡大図である。このキャブ９は、オペレータが着座した状態で、下部走行体２を走行させたり、作業装置４を俯仰動させたりするための居住空間を形成している。前記キャブ９は、床板（フロア部材）１０、この床板１０の上に設置された運転席台座１１の上に設置され、オペレータが着座するための運転席１２などを備えている。
【００１８】
また、前記運転席１２の左右両側には、前記作業装置４等を操作するための操作レバー１３が設けられ、前記床板１０の前側位置には、前記下部走行体２を走行させるための走行レバー・ペダル１４が配置されている。
【００１９】
前記運転席１２下部の前記運転席台座１１の内部には空調ユニット１５が収容されており、この空調ユニット１５には、後述する空気の取入口２５，２６（図３参照）から空気が吸い込まれ、該空調ユニット１５で冷却或いは加熱された調和空気は、流出ダクト１６から後部の吹出しダクト１７や前方に延びる吹出しダクト１８（図３参照）を介して、後側の吹出口１９や前側の吹出口２０などからキャブ９内に吹出されるように構成されている。
【００２０】
２１は前方へ延びる前記ダクト１８を覆うように設けられている前ダクトカバーであり、この前ダクトカバー２１の上側には、運転席１２に着座したオペレータに向けて調和空気を吹き出す前記吹出口２０が設けられている。また、この前ダクトカバー２１には、飲料を保持し、且つ該保持された飲料を冷却、加熱、保温することができる本実施例のドリンクホルダ装置２２が設けられている。
【００２１】
本実施例における前記ドリンクホルダ装置２２の詳細構成を、図３〜図９により以下説明する。  
図３は、前記空調ユニット１５と、この空調ユニット１５に接続された前記ドリンクホルダ装置２２の概略構成を説明する図である。
図３に示す空調ユニット（室内機）１５は、前記エンジン６側に配置され圧縮機、凝縮器（コンデンサ、熱交換器）、膨張弁等を備える室外機（図示せず）と冷媒配管などで接続されて空調装置を構成している。
【００２２】
前記空調ユニット１５は、本体ケース３２、この本体ケース３２内の入口側に配置されたブロワ（送風ファン）３６、該ブロワ３６の下流側に配置された蒸発器（エバポレータ、熱交換器）２３、該蒸発器２３の下流側に配置されたヒータコア２４などにより構成されている。また、前記ブロワ３６の上流側（吸込側）には外気を取り入れるための外気取入口２５とキャブ内の空気を取り入れるための内気取入口２６が設けられ、前記ヒータコア２４の下流側（出口側）には、前記キャブ９内の運転席１２の後部に調和空気を供給するための供給口２７と、前記運転席１２（図２参照）の前部の吹出口２０（図２参照）に調和空気を供給するための供給口２８とが設けられている。
【００２３】
２９は、前記外気取入口２５から外気を取り入れるか、或いは前記内気取入口２６から内気を取り入れるかを切り替えるための内外気切替えダンパである。図３の実線位置にダンパ２９をセットした場合には外気取入口２５から外気を取り入れ、図３の点線位置に前記ダンパ２９をセットした場合には前記内気取入口２６からキャブ内の空気を空調ユニット２０内に取り入れるように選択することができる。また、前記ダンパ２９を図３の実線位置と点線位置との間にセットすることにより、外気と内気を同時に取り入れることもできるようになっている。
【００２４】
３０は冷暖房切替えダンパで、冷房運転時には図３の実線位置にセットされ、前記蒸発器２３で冷却された空気を、ヒータコア２４を通過させずに前記供給口２７，２８側に送る。冷房運転時には、前記蒸発器２３に空調装置の前記室外機側からの低温低圧の冷媒が冷媒配管３１を介して供給され、この冷媒により前記ブロワ３６から供給された空気は冷却される。
【００２５】
前記冷暖房切替えダンパ３０は、暖房運転時には図３の点線位置にセットされ、前記ブロワ２２から吐出された空気を前記ヒータコア２４に導いて加熱した後、前記供給口２７，２８側に送ることができるように構成されている。暖房運転時には前記蒸発器２３に冷媒は供給されず、前記ブロワ３６から送風された空気は蒸発器２３で熱交換されることなく、前記ヒータコア２４に流入して加熱される。
【００２６】
なお、前記冷暖房切替えダンパ３０を点線位置にセットし、前記蒸発器２３に低温低圧の冷媒を供給し、前記ヒータコア２４も作動させることにより、前記ブロワ３６から供給された空気を前記蒸発器で冷却して除湿し、前記ヒータコア２４で適温に加熱することにより、除湿運転或いは暖房運転をすることも可能になる。
【００２７】
前記外気取入口２５には外気導入路３３が接続されており、キャブ９外からの外気を、前記外気導入路３３を介して空調ユニット１５内に導入できるように構成されている。また、前記外気取入口２５及び前記内気取入口２６には、前記ブロワ３６に吸い込まれる空気中の塵埃や異物などを除去するためのフィルタ３４または３５がそれぞれ設けられている。
【００２８】
調和空気の前記供給口２７，２８にはそれぞれ前記吹出しダクト１７または１８が接続されており、キャブ９内に開口している前記吹出口１９，２０（図２参照）などから調和空気を該キャブ９内に供給できるように構成されている。
【００２９】
なお、本実施例では、前記空調ユニット１５に、蒸発器２３とヒータコア２４を備える構成とし、前記蒸発器２３には低温低圧の冷媒を供給し、前記ヒータコア２４には電線３８を接続してヒータコア２４を発熱させる例を示している。
【００３０】
この構成に代えて、空調装置の室外機に設けた圧縮機の吐出側に四方弁などの切換弁を設け、圧縮機から吐出された高温高圧の冷媒を、前記冷媒配管３１を介して、室内機を構成する前記空調ユニット１５の熱交換器２３（この場合、熱交換器２３は凝縮器になる）に流すようにすることもできる。このようにすれば、ブロワ３６からの空気を前記熱交換器２３で加熱して暖房運転することもできる。
【００３１】
また、冷房運転時には前記四方弁などの切換弁を切り替えて、圧縮機からの高温高圧の冷媒を室外機の熱交換器（凝縮器）側に流し、膨張弁を通過させて低温低圧の冷媒として空調ユニット（室内機）１５の前記熱交換器２３（この場合、熱交換器２３は蒸発器となる）に流すようにすれば良い。
【００３２】
このように圧縮機の吐出側に四方弁などの切換弁を設けることにより、ブロワ３６からの空気を前記熱交換器２３で冷却して冷房運転できるだけでなく、加熱して暖房運転することも可能になるから、前記ヒータコア２４や冷暖房切替えダンパ３０を廃止することができる。
【００３３】
なお、３７は前記本体ケース２１に取り付けられ、前記ブロワ３７の羽根車と回転軸を介して接続されているブロワモータである。
【００３４】
前記前方への吹出しダクト１８の途中には、該吹出しダクト１８内を流れる調和空気の一部を前記ドリンクホルダ装置２２に導くドリンクホルダ用ダクト３９が設けられている。従って、空調ユニット１５の冷房運転時には、前記ドリンクホルダ装置２２には冷風が導かれ、前記空調ユニット１５の暖房運転時には、前記ドリンクホルダ装置２２には温風が導かれるように構成されている。
【００３５】
図４は、図３に示すドリンクホルダ装置２２の外観斜視図である。本実施例においては、ドリンクホルダ装置２２は、前記空調ユニット１５からの調和空気が前記ドリンクホルダ用ダクト３９を介して導かれる下ケース４０と、この下ケース４０の上に設置される上ケース４１により大略構成されている。
【００３６】
前記上ケース４１にはドリンクを保持するためのドリンクホルダ部（ドリンクホルダ）４２が設けられ、このドリンクホルダ部４２には温調レバー４３により温度調整された空気が、底部の吹出口４４から吹出されて、保持されているドリンクを冷却、加熱或いは保温するように構成されている。前記温調レバー４３は、前記上ケース４１の底部外周に形成された周方向の溝４５内を回動されることで前記下ケース４０に導かれる調和空気の温度調節をするものである。
【００３７】
上記図４に示すドリンクホルダ装置２２の内部構造を図５に示す断面図により説明する。図５に示すように、前記下ケース４０内には、中央部に仕切り部材４６が設けられており、この仕切り部材４６で区切られた第１の空洞部４７及び第２の空洞部４８には、下ケース４０の底部４０ａに形成された孔部４０ｂ１，４０ｂ２から冷風が取り入れられるように構成されている。
【００３８】
即ち、下ケース４０に形成された前記孔部４０ｂ１，４０ｂ２は、前記空調ユニット１５に接続された前記ドリンクホルダ用ダクト３９に接続されており、前記空調ユニット１５からの調和空気（本実施例では冷風）が前記第１、第２の空洞部４７，４８に導かれるように構成されている。
【００３９】
また、前記第１の空洞部４７には、熱線などで構成された加熱装置４９が設けられており、取り入れた冷風を暖めて温風にして、前記上ケース４１側に供給するように構成されている。この加熱装置４９は、本実施例では、通常、通電した状態としている。また、前記空洞部４７内の温度に応じて、前記加熱装置４９は、サーモスタットなどで自動的にＯＮ／ＯＦＦされる構成となっている。
【００４０】
前記第２の空洞部４８には、前記加熱装置などは設けられておらず、導入された冷風はそのまま上ケース４１側に供給されるようになっている。
前記上ケース４１には前記ドリンクホルダ部４２が設けられ、このドリンクホルダ部４２の下方には、前記空洞部４７及び４８から導入された冷風及び温風を混合するための混合空間５０ａを有する混合部５０が設けられている。
【００４１】
前記混合部５０は、前記上ケース４１内の底部（隔壁）４１ａに設けられ、前記第１、第２の空洞部４７，４８からの温風または冷風を前記混合空間５０に導入するための第１の孔部４１ｂ１と第２の孔部４１ｂ２を有している。これら第１、第２の孔部４１ｂ１，４１ｂ２は涙目形状、即ち周方向に面積がなだらかに変化する孔形状に形成されている（図６、図７参照）。
【００４２】
また、前記混合部５０には、前記混合空間５０ａを形成するためのキャップ５１が設けられており、このキャップ５１には前記吹出口４４が形成されている。更に、前記混合部５０には前述した温調レバー４３も備えられ、この温調レバー４３は円板部４３ａとレバー部４３ｂで構成されている（図６、図７参照）。前記円板部４３ａは前記上ケース４１内の底部（隔壁）４１ａ上に設置され、この円板部４３ａには前記涙目形状の第１、第２の孔部４１ｂ１，４１ｂ２に対応する位置に丸孔（円板孔部）４３ｃ１，４３ｃ２が形成されている。
【００４３】
前記レバー部４３ｂは、前記上ケース４１内の底部側に形成された周方向孔４１ｃと、周方向に形成されている前記溝４５を貫通して、上ケース４１の外側まで突出している。このレバー部４３ｂを周方向に回動させることにより、温調レバー４３の円板部４３ａも回動し、これに伴って前記丸孔４３ｃ１，４３ｃ２も周方向に移動するので、前記涙目形状の第１、第２の孔部４１ｂ１，４１ｂ２との重なり状態が変化し、これにより前記各孔部４１ｂ１，４１ｂ２の開口面積（開口割合）を変化させることができるようになっている。
【００４４】
即ち、前記第１、第２の空洞部４７，４８と前記混合空間５０ａとの間には、前記第１の空洞部４７から前記混合空間５０ａへ供給される温風と、前記第２の空洞部４８から前記混合空間５０ａに供給される冷風の供給割合を調整する供給割合調整部が設けられている。そして、この供給割合調整部は、前記第１、第２の空洞部４７，４８と前記混合空間５０ａを仕切る前記上ケース４１の底部（隔壁）４１ａに形成され、周方向に面積がなだらかに変化する前記第１、第２の孔部４１ｂ１，４１ｂ２と、これら第１、第２の孔部４１ｂ１，４１ｂ２の開口割合を調整して前記混合空間５０ａに供給される温風と冷風の供給割合を調整する前記丸孔（円板孔部）４３ｃ１，４３ｃ２を有する前記温調レバー４３とにより構成されている。
【００４５】
図６及び図７は、前記ドリンクホルダ装置２２を分解して示す斜視図であり、図６は斜め上方からみた斜視図、図７は斜め下方から見た斜視図である。これらの図に示す下ケース４０の上に上ケース４１が設置され、更に、前記温調レバー４３は、前記上ケース４１内の底部４１ａ上に上方から挿入され、そのレバー部４３は、図７（ｃ）に示す前記周方向孔４１ｃと前記溝４５を貫通して上ケース４１の外側に突出するようにセットされる。そして、キャップ５１は前記温調レバー４３を上方から押えるようにセットされる。
なお、図６、図７においては、図５に示す加熱装置４９は省略して図示している。
【００４６】
図８及び図９は、前記上ケース４１に前記温調レバー４３を挿入設置した状態を示す図である。即ち、上述した図６、図７の（ｃ）図に示す上ケース４１内の底部４１ａ上に、（ｂ）図に示す温調レバー４３をセットした状態を示している。そして、図８は前記温調レバー４３のレバー部４３ｂを最も左側に回動させた状態を示している。
【００４７】
この状態では、円板部４３ａに形成された丸孔４３ｃ１は、前記涙目形状の孔部４１ｂ１の最も面積が小さくなっている部分のみを開口させる位置にセットされ、また前記円板部４３ａに形成された丸孔４３ｃ２は、前記涙目形状の孔部４１ｂ２の最も面積が大きくなっている部分を開口させる位置にセットされるように構成されている。
【００４８】
従って、図８に示す状態では、図５に示す前記空洞部４７の加熱装置４９で加熱された高温の空気は前記混合空間５０に少量しか供給されず、前記空洞部４８の空調ユニット１５からの冷風は大量に供給される。これにより、ドリンクホルダ部４２に保持された飲料を冷却することができる。
【００４９】
また、図９は前記温調レバー４３のレバー部４３ｂを、周方向の前記溝４５の中央よりもやや右寄りの位置にセットした状態を示している。この状態では、円板部４３ａに形成された丸孔４３ｃ１は、前記涙目形状の孔部４１ｂ１の最も面積が大きくなっている部分を開口させる位置にセットされ、また前記円板部４３ａに形成された丸孔４３ｃ２は、前記涙目形状の孔部４１ｂ２の最も面積が小さくなっている部分のみを開口させる位置にセットされるように構成されている。
【００５０】
従って、図９に示す状態では、図５に示す前記空洞部４７の加熱装置４９で加熱された高温の空気は前記混合空間５０に大量に供給され、前記空洞部４８の空調ユニット１５からの冷風は少量しか供給されない。これにより、ドリンクホルダ部４２に保持された飲料を加熱或いは保温することができる。
【００５１】
なお、図９に示す状態から、前記温調レバー４３のレバー部４３ｂを更に右側に回動させていくと、前記円板部４３ａに形成された丸孔４３ｃ１，４３ｃ２は何れも、前記涙目形状の孔部４１ｂ１及び４１ｂ２とは連通しなくなり、この結果、ドリンクホルダ部４２への温風及び冷風の供給は停止される。この結果、前記空洞部４７の内の空気の温度は上昇するが、サーモスタットにより、一定の温度以上になると前記加熱装置４９への通電はＯＦＦになる。
【００５２】
以上述べたように、本実施例によれば、上ケース４１の底部４１ａに、周方向に面積がなだらかに変化する涙目形状の複数の孔部４１ｂ１，４１ｂ２を設け、更にこれらの孔部の開口割合（開口面積）を変化させる温調レバー４３を備えると共に、前記一方の孔部４１ｂ１には加熱した空気を供給し、他方の孔部４１ｂ２には空調ユニット１５からの冷風を直接供給する構成としているから、前記温調レバーにより、ドリンクホルダ部４２に供給される温風と冷風の風量を任意に調整することができる。従って、ドリンクホルダ部に収納された飲料を、任意に、冷却、加熱、保温をすることができるドリンクホルダ装置を得ることができる効果が得られる。
【００５３】
また、上記図９の位置より更に右方向に温調レバー４３のレバー部４３ｂを回動させることにより、上ケース４１の涙目形状の孔部４１ｂ１，４１ｂ２と温調レバー４３の丸孔４３ｃ１，４３ｃ２が重なり合わないようにすることができ、この場合、温風、冷風のドリンクホルダ部４２への供給を停止させることもできる。これにより飲料の冷却、加熱、保温をする必要がない場合には、空調ユニット１５からの調和空気を全て前記各吹出口１９，２０から運転室内に吹き出すことが可能となり、空調ユニット１５の負荷を低減したり、運転室の快適性も向上できるドリンクホルダ装置が得られる。
【００５４】
なお、本発明は上記した実施例に限定されるものではなく、様々な変形例が含まれる。例えば、上述した実施例は、建設機械としての油圧ショベルに本実施例のドリンクホルダ装置を適用した場合について説明しているが、建設機械に限らず、トラックや乗用車などの車両などにも同様に適用できるものである。
【００５５】
また、上記実施例では、前記ドリンクホルダ用ダクト３９を、図３に示したように、前記前方への吹出しダクト１８から分岐させるようにしているが、前記流出ダクト１６から分岐させたり、或いは前記蒸発器２３と前記ヒータコア２４との間から分岐させるようにしても良い。
【００５６】
前記蒸発器２３は冷房時はもちろんのこと、除湿時や暖房時にも作動されることが多い。従って、前記蒸発器２３のすぐ下流から前記ドリンクホルダ用ダクト３９を分岐させれば、前記ヒータコア２４を作動させる除湿時や暖房時であっても、冷風をドリンクホルダ装置２２に供給することができるから、冷房時、除湿時、暖房時の何れの場合でもドリンクホルダ装置２２に保持された飲料を任意に冷却、加熱或いは保温することが可能になる。
【００５７】
また、上記実施例では、前記第１、第２の孔部４１ｂ１，４１ｂ２を涙目形状とているが、涙目形状に限定されるものではなく、周方向に面積がなだらかに変化する孔形状、或いは水平方向に面積がなだらかに変化する孔形状でも良い。前記第１、第２の孔部４１ｂ１，４１ｂ２を水平方向に面積がなだらかに変化する孔形状とした場合には、前記温調レバー４３も水平方向にスライドさせるように構成すれば良い。即ち、前記温調レバー４３は必ずしも周方向に回動されるものにも限られない。
【００５８】
更に、前記温調レバー４３に形成された丸孔（円板孔部）４３ｃ１，４３ｃ２も円形の孔形状でなくても、四角形や星形などの多角形状や楕円形状などでも良い。
また、上記実施例では、上ケース４１の底部に、前記第１、第２の孔部４１ｂ１，４１ｂ２や前記温調レバー４３で構成される前記供給割合調整部を設けているが、この供給割合調整部は、下ケース４０の上部やドリンクホルダ２２の上流側に設けるようにしても良い。
【００５９】
更に、上記実施例では、ドリンクホルダ装置２２を、分離可能な下ケース４０と上ケース４１で構成しているが、前記下ケース４０と上ケース４１を一体に構成することも可能である。
【００６０】
また、上記した実施例は本発明を分かり易く説明するために詳細に説明したものであり、必ずしも説明した全ての構成を備えるものに限定されるものではない。更に、各実施例の構成の一部について、他の構成の追加・削除・置換をすることが可能である。
【符号の説明】
【００６１】
１：油圧ショベル、２：下部走行体、３：上部旋回体、４：作業装置、
５：旋回フレーム、６：エンジン、７：油圧ポンプ、
８：外装カバー、９：キャブ、１０：床板、１１：運転席台座、１２：運転席、
１３：操作レバー、１４：走行レバー・ペダル、
１５：空調ユニット、１６：流出ダクト、
１７：後部の吹出しダクト、１８：前方に延びる吹出しダクト、
１９，２０：吹出口、２１：前ダクトカバー、
２２：ドリンクホルダ装置、
２３：蒸発器（熱交換器）、２４：ヒータコア、
２５：外気取入口、２６：内気取入口、
２７，２８：供給口、
２９：内外気切替えダンパ、３０：冷暖房切替えダンパ、
３１：冷媒配管、３２：本体ケース、３３：外気導入路、
３４，３５：フィルタ、
３６：ブロワ、３７：ブロワモータ、３８：電線、
３９：ドリンクホルダ用ダクト、
４０：下ケース、４０ｂ１，４０ｂ２：孔部、
４１：上ケース、４１ａ：底部（隔壁）、
４１ｂ１：第１の孔部、４１ｂ２：第２の孔部、４１ｃ：周方向孔、
４２：ドリンクホルダ部（ドリンクホルダ）、
４３：温調レバー、４３ａ：円板部、４３ｂ：レバー部、
４３ｃ１，４３ｃ２：丸孔（円板孔部）、
４４：吹出口、４５：周方向の溝、
４６：仕切り部材、４７，４８：空洞部、４９：加熱装置、
５０：混合部、５０ａ：混合空間、５１：キャップ。
【図１】
2014113940.tif 000003
【図２】
2014113940.tif 000004
【図３】
2014113940.tif 000005
【図４】
2014113940.tif 000006
【図５】
2014113940.tif 000007
【図６】
2014113940.tif 000008
【図７】
2014113940.tif 000009
【図８】
2014113940.tif 000010
【図９】
2014113940.tif 000011